(57)【特許請求の範囲】
【請求項１】
車両（１００）のための車速を整合させる方法において、該方法が以下のステップを含み、すなわち
湾曲した走行軌道（１０４）に沿って前記車両（１００）を誘導するために必要なステアリングトルクを特定するステップ（２０２）と、
前記湾曲した走行軌道（１０４）に沿って前記車両（１００）を誘導するための該車両（１００）の許容速度を、前記必要なステアリングトルクと使用可能なステアリングトルクとを使用して検出するステップ（２０４）と、
走行方向において前記車両（１００）の前方にある目標走行レーンを前記湾曲した走行軌道（１０４）として検知するステップ（２１２）と、
を含んでいて、
前記検知するステップ（２１２）において、クロソイドモデルを使用して、前記湾曲した走行軌道（１０４）の曲率半径の最大変化、または、前記湾曲した走行軌道（１０４）の最小曲率半径を検知し、前記特定するステップ（２０２）において、前記最大変化または前記最小曲率半径を使用して前記必要なステアリングトルクを特定し、
前記許容速度は、前記車両（１００）の速度に応じて高くなる前記必要なステアリングトルクが、前記使用可能なステアリングトルクと同じになるときの車速である、
方法。
【請求項２】
前記車両（１００）の現時点での速度を前記許容速度に整合させるために、前記車両（１００）の速度を上昇させるための制御信号を提供するステップを含んでいる、請求項１に記載の方法。
【請求項３】
前記車両（１００）の現時点での速度が前記許容速度よりも大きいときに、前記車両（１００）の速度を減少させるための制御信号を提供するステップ（２０６）を含んでいる、請求項１または２に記載の方法。
【請求項４】
前記提供するステップにおいて、検知するステップ（２０８）で前記車両（１００）のドライバーによって提供されたステアリングトルクを検知したときで、且つ前記ドライバーによって提供されたステアリングトルクの方向が前記必要なステアリングトルクの方向とは逆であるときに、前記制御信号を提供しない、請求項２または３に記載の方法。
【請求項５】
前記使用可能なステアリングトルクを、前記車両（１００）のステアリングアシスト機構（１２０）によって提供可能な最大ステアリングトルクとして特定するステップ（２１０）を含んでいる、請求項１から４のいずれか一つに記載の方法。
【請求項６】
前記特定するステップ（２１０）において、検知するステップ（２０８）で前記車両（１００）のドライバーによって提供されステアリングトルクを検知したときに、前記使用可能なステアリングトルクを、前記車両（１００）の前記ステアリングアシスト機構（１２０）によって提供可能な前記最大ステアリングトルクと、前記車両（１００）のドライバーによって提供可能なステアリングトルクとの組み合わせとして特定する、請求項５に記載の方法。
【請求項７】
請求項１から６のいずれか一つに記載の方法のすべてのステップ（２０２，２０４）を実施するために構成されている、車両（１００）のための車速整合装置（１０２）。
【請求項８】
請求項１から７のいずれか一つに記載の方法のすべてのステップ（２０２，２０４）を実施、置換および／または制御するために設けられたコンピュータプログラム。
【請求項９】
請求項８に記載のコンピュータプログラムを記憶した、機械で読み取り可能な記憶媒体。
【発明の詳細な説明】
【技術分野】
【０００１】
本発明は、車両のための車速整合方法、対応する装置、および対応するコンピュータプログラムに関するものである。
【背景技術】
【０００２】
ステアリングサポート型の今日のレーンキープアシストシステム（ＬＫＳ：ｌａｎｅ  ｋｅｅｐｉｎｇ  ｓｕｐｐｏｒｔ）では、特に何らかのエラーが介入した場合、ドライバーが常にシステムを制御できるようにするためには、システムによって要求されるステアリングトルクは量的に制限されており、通常は３Ｎｍに制限されている。
【発明の概要】
【０００３】
この背景に対し、ここに示すアプローチにより、車両のための車速整合方法、さらにはこの方法を使用する装置、最後に対応するコンピュータプログラムが独立請求項に従って提示される。有利な構成は、それぞれの従属請求項および以下の説明から明らかである。
【０００４】
本方法は、有利には、たとえばレーンキープアシストのようなドライバーアシストシステムと関連して車速をコントロールするために使用することができる。
【０００５】
対応する車両用車速整合方法は以下のステップを含んでおり、すなわち
【０００６】
湾曲した走行軌道に沿って車両を誘導するために必要なステアリングトルクを特定するステップと、
【０００７】
前記湾曲した走行軌道に沿って前記車両を誘導するための該車両の許容速度を、前記必要なステアリングトルクと使用可能なステアリングトルクとを使用して検出するステップと、
【０００８】
を含んでいる。
【０００９】
走行軌道は、走行方向において車両の前方にある車両移動路を特徴づけることができ、または、このような移動路の一部分を特徴づけることができる。必要なステアリングトルクとは、車両の操向可能な車輪にもたらされて車両を走行軌道に沿って誘導するステアリングトルクであってよい。必要なステアリングトルクは、車両の速度が大きければ大きいほど大きくてよい。したがって、場合によっては、車両を湾曲した走行軌道に沿って確実に誘導できるようにするために、車両の現時点での速度を減少させる必要がある。使用可能なステアリングトルクは、与えられた状況でもたらされて車両を操向させるステアリングトルクであってよい。説明するアプローチのいくつかの実施態様によれば、ドライバーアシストシステムによって要求されるステアリングトルクの制限を解消または緩和させることができ、その結果レーンキープアシストシステムは、地方道路の強いカーブに対して必要なステアリングトルクを要求することができる。
【００１０】
本方法は、車両の現時点での速度が許容速度よりも大きいときに、車両の速度を減少させるための制御信号を提供するステップを含んでいてよい。このため、車両の現時点での速度を表す値を許容速度を表す値と比較することができる。現時点での速度が高すぎると判定されれば、走行軌道に確実に追従できるように車両を制動させることができる。
【００１１】
この場合、提供するステップにおいて、検知するステップで車両のドライバーによって提供されたステアリングトルクを検知したときで、且つドライバーによって提供されたステアリングトルクの方向が必要なステアリングトルクの方向とは逆であるときに、制御信号を提供しない。このようにして、ドライバーの動作から車両が湾曲した走行軌道に沿って追従すべきでないと推定できる場合には、速度の減少を回避することができる。制動の阻止は、たとえばドライバーのステアリング介入によってドライバーが追い越し過程を始めたいと検知される場合に重要である。
【００１２】
本方法は、走行方向において車両の前方にある目標走行レーンを湾曲した走行軌道として検知するステップを含んでいてよい。目標レーンを検知するため、適当なセンサ信号またはデジタルマップの信号を読み取って評価することができる。このようにして常に現時点での走行軌道を使用することができる。
【００１３】
この場合、検知するステップにおいて、湾曲した走行軌道の曲率半径の最大変化、または、湾曲した走行軌道の最小曲率半径を検知することができる。特定するステップにおいて、最大変化または最小曲率半径を使用して必要なステアリングトルクを特定することができる。このようにして、走行軌道の、最大ステアリングトルクをもたらすべきと見込まれるような領域を、検討することができる。
【００１４】
本方法は、使用可能なステアリングトルクを、車両のステアリングアシスト機構によって提供可能な最大ステアリングトルクとして特定するステップを含んでいてよい。最大ステアリングトルクの値は、適当なインターフェースを介して読み取ることができる。このようにして本方法を種々のタイプの車両に適合させることができる。加えて、ステアリングアシスト機構が故障した場合には、たとえば車両を制動させることで適時に反応することができる。
【００１５】
特定するステップにおいて、使用可能なステアリングトルクを、車両のステアリングアシスト機構によって提供可能な最大ステアリングトルクと、車両のドライバーによって提供可能なステアリングトルクとの組み合わせとして特定することができる。これは、検知するステップで車両のドライバーによって提供されたステアリングトルクを検知したときに実施することができる。このようにして、ステアリングトルクを、車両のステアリングアシスト機構によって提供可能な最大ステアリングトルクへ制限することを回避することができる。
【００１６】
ここに提示されているアプローチは、さらに、車両用車速整合装置を提供する。この車両用車速整合装置は、ここに提示されている方法の実施態様のステップを適当な機構で実施、制御または置換するために構成されている。装置の形態の本発明のこれら実施態様によっても、本発明の基本的な課題を迅速かつ効率的に解決することができる。
【００１７】
装置とは、本発明の場合、センサ信号を処理し、これに依存して制御信号および／またはデータ信号を出力する電気機器であると理解してよい。装置は、ハードウェアおよび／またはソフトウェアに従って構成されていてよいインターフェースを有することができる。ハードウェアによる構成の場合、インターフェースは、たとえば装置の種々の機能を含んでいるいわゆるシステムＡＳＩＣの一部であってよい。しかしながら、インターフェースが固有の集積回路であることも可能で、或いは、少なくとも部分的に個別構成要素から成っていることも可能である。ソフトウェアによる構成の場合、インターフェースは、たとえば他のソフトウェアモジュールの横に位置するようにマイクロコンピュータに設けられているソフトウェアモジュールであってよい。
【００１８】
コンピュータプログラム製品、または、プログラムコードを備えたコンピュータプログラムも有利である。コンピュータプログラム製品、または、プログラムコードを備えたコンピュータプログラムは、半導体メモリ、ハードディスクドライブ、または光学ディスクのような機械で読み取り可能なキャリアまたは記憶媒体に記憶されていてよく、特にプログラム製品またはプログラムがコンピュータまたは装置で実施される場合に、前述した実施態様の１つによる方法のステップを実施、置換および／または制御するために使用される。
【００１９】
次に、ここで提示されているアプローチを、添付の図面を用いて詳細に例示する。
【図面の簡単な説明】
【００２０】
【図１】本発明の１実施形態による車速整合装置を備えた車両の図である。
【図２】本発明の１実施形態による車速整合方法のフローチャートである。
【発明を実施するための形態】
【００２１】
本発明の好ましい実施形態に関する以下の説明では、異なる図に図示されて同様の作用を及ぼす要素に対して同一または同様の参照符号を使用する。なお、これら要素の説明を反復することは省略する。
【００２２】
図１は、本発明の１実施形態による、車両１００の車速を整合させるための装置１０２を備えた車両１００の図である。車両１００は、車道上を走行軌道１０４に沿って走行している。走行軌道１０４は当初直線部分を有し、直線部分は湾曲部分へ移行している。直線部分から湾曲部分への移行部を走行する場合、および、湾曲部分を走行する場合、車両１００を走行軌道１０４上に保持できるようにするには、車両１００の車輪に作用するステアリングトルクが必要である。
【００２３】
１実施形態によれば、装置１０２は特定機構１１０と検出機構１１２とを有している。特定機構１１０は、走行軌道１０４に沿って車両１００を走行させるために必要なステアリングトルクを特定するように構成されている。
【００２４】
検出機構１１２は、必要なステアリングトルクに対する値と、使用可能なステアリングトルクに対する値とを使用して、走行軌道１０４に沿って車両を誘導するための許容速度を検出するように構成されている。
【００２５】
１実施形態によれば、装置１０２は、車両の許容速度を表す値を、車両１００の速度を調整するための調整機構１１４へ伝送するように構成されている。調整機構１１４は、車両の現時点での速度の値を許容速度に対する値と比較し、許容速度が許容速度よりも大きい場合には、現時点での速度を減少させるための制御信号を提供するように構成されている。したがって調整機構１１４は、現時点での速度を許容速度に整合させるように構成されていてよい。したがって、場合によっては現時点での速度を上昇させることもありうる。
【００２６】
１実施形態によれば、装置１０２は、走行軌道１０４を表す値をインターフェースを介して受信するように構成されている。これとは択一的な実施形態では、装置１０２は、走行軌道１０４を表す値を検出するように構成されている。このため、装置１０２は、たとえばインターフェースを介して周囲検知機構１１６またはナビゲーションシステム１１８の信号を受信して走行軌道１０４を検出するために使用するように構成されている。装置１０２は、車両１００を走行軌道１０４に沿って誘導するために必要なステアリングトルクをたとえば相関規定を使用して特定するために構成されている。
【００２７】
１実施形態によれば、装置１０２は、該装置１０２が手動ステアリング１１８に対するインターフェースを介して、たとえばドライバーによって操作可能なステアリングホイールに対するインターフェースを介して、および、これに加えてまたはこれとは択一的にステアリングアシスト機構１２０へのインターフェースを介して受信する値を使用して、使用可能なステアリングトルクを特定するために構成されている。手動ステアリング１１８およびステアリングアシスト機構１２０を介してステアリングトルクを車両１００のステアリング機構１２２へ作用させることができ、該ステアリング機構を介して車両１００の操向可能な車輪を旋回させることができ、または、旋回位置で保持することができる。たとえば装置１０２は、ドライバーによって提供された、または提供可能なステアリングトルクに、ステアリングアシスト機構１２０によって提供可能なステアリングトルクを加算して、走行軌道１０４を走行する間に使用することのできる使用可能なステアリングトルクを特定するために構成されている。
【００２８】
次に、本発明のいくつかの実施形態を、図１を用いて詳述する。
【００２９】
説明するアプローチは、１実施形態によれば、整合を可能にするとともに、これに加えてまたはこれとは択一的に、図１で走行軌道１０４として図示されている目標車線の評価された曲率に基づいて、且つたとえばステアリングアシスト機構１２０を含むことができるレーンキープアシストシステムの最大に使用可能なステアリングトルクに基づいて、且つドライバーがたとえば手動ステアリング１１８を介して提供できるドライバー手動トルクに基づいて、縦方向車速のコントロールを可能にする。
【００３０】
装置１０２を含んでいるシステムは、種々のセンサ１１４を用いて、たとえばカメラ、レーダーまたはＧＰＳを用いて、車線の曲率とその曲率変化とを検知することができ、すなわち走行軌道１０４の重要なパラメータまたは値を検知することができる。
【００３１】
クロソイドモデルを使用することにより、装置１０２は、１実施形態によれば、予測距離において走行軌道１０４の曲率を評価することができる。予測距離は、有利には、車速と、予測距離に関係づけられる予測時間との乗積によって算出することができる。予測時間は、潜在時間と車両１００の慣性とを相殺するために必要である。
【００３２】
１実施形態によれば、走行軌道１０４の曲率を算出する場合、同様に、車両１００が自車レーンの中心線に沿って走行すべきか、それとも他の軌道に追従すべきかを考慮する。これは状況に応じて必要であり、たとえば横方向コントロールをレーンエッジからスタートすべき場合、および、車両１００を再びレーン中心に戻すべき場合に必要である。またこれは、目標軌道１０４がたとえば障害物または隣接レーンの車両のような他の対象物によって影響される場合も必要である。
【００３３】
１実施形態によれば、装置１０２は、車両目標走行軌道１０４の評価された曲率（Ｋａｐｐａｐｒｅｄ）の知識と、最大に使用可能なレーンキープアシストシステムステアリングトルク（ＭＬＫＳｍａｘ）の知識とのもとに、最大許容縦方向車速（Ｖｍａｘ）を評価の形で次のように特定するために構成されている。
【００３４】
Ｖｍａｘ＝ｓｑｒｔ（ＭＬＫＳｍａｘ／Ｋａｐｐａｐｒｅｄ／係数Ｋ）
【００３５】
係数Ｋは、もっとも簡単な形では定数であり、車両に応じてパラメータで表すことができる。
【００３６】
しかしながら、ドライバーがレーンキープアシストシステムとともに走行すると、すなわちドライバーがレーンキープアシストシステムと同じ方向にハンドルを切るか、或いは、レーンキープアシストシステムが予測した適正な方向にハンドルを切ると、最大使用可能なステアリングトルク（Ｍｍａｘ）は次のようになる。
【００３７】
Ｍｍａｘ＝ＭＬＫＳｍａｘ＋Ｍドライバー
【００３８】
その後、最大使用可能なステアリングトルク（Ｍｍａｘ）を用いて車速（Ｖｍａｘ）の算出を行う。
【００３９】
ドライバーがシステムに反してハンドルを切ると、１実施形態によれば、システムを遮断する。
【００４０】
車速（Ｖｍａｘ）を車両１００の縦方向コントロール部へ送り、たとえば図１において調整機構１１４によって図示されていることができるアダプティブスピードコントロール部（ＡＣＣ）へ送る。スピードコントロール部は、たとえば車両１００の駆動制御により、および／または、車両１００の制動により、最大許容縦方向車速（Ｖｍａｘ）を越えないように車速をコントロールするために構成されている。
【００４１】
したがって、車両１００の横方向加速度が適当な制限値内にあるので、たとえばステアリングアシスト機構１２０によって提供することができる最大レーンキープアシストシステムトルクを越えないよう保証される。
【００４２】
加えて、算出の際に、最大使用可能なレーンキープアシストシステムステアリングトルク（ＭＬＫＳｍａｘ）からオフセットを取り除くことができ、その結果最大使用可能なレーンキープアシストシステムステアリングトルク（ＭＬＫＳｍａｘ）に到達しないよう保証するため、システムはまだある程度のリザーブを有している。
【００４３】
図２は、本発明の１実施形態による車速整合方法のフローチャートである。この方法は、図１を用いて説明したような車両の車速整合装置と関連して使用することができる。
【００４４】
この方法は、湾曲した走行軌道に沿って車両を誘導するために必要なステアリングトルクを特定する特定ステップ２０２と、必要なステアリングトルクと使用可能なステアリングトルクとを使用して、湾曲した走行軌道に沿って車両を誘導するための許容速度を検出する検出ステップ２０４とを含んでいる。
【００４５】
この方法は、種々の実施形態によれば、１つまたは複数のオプションのステップ２０６，２０８，２１０を有している。１つのオプションステップ２０６では、車両の現時点での速度が許容速度よりも大きい場合に車両の速度を減少させる制御信号が提供される。１つのオプションステップ２０８では、車両のドライバーによって提供されたステアリングトルクを検知することができる。ドライバーによって提供されるステアリングトルクの値は、ドライバーが望む、予測走行軌道からのずれを検知するために使用することができる。さらに、車両のドライバーによって提供されたステアリングトルクは、オプションステップ２１０において、使用可能なステアリングトルクを特定するために使用することができる。オプションステップ２１２では、走行方向において車両前方にある目標走行レーンを走行軌道として検知することができる。その際ステップ２１２では、さらに、走行軌道の曲率半径の最大変化または走行軌道の最小曲率半径を検知し、ステップ２０２で、必要なステアリングトルクを特定するために使用することができる。
【００４６】
１つの実施形態が第１の構成要件と第２の構成要件との間に「および／または」という結合関係を含んでいる場合、これは、１つの実施態様によれば、この実施形態が第１の構成要件と第２の構成要件との双方を有し、他の実施態様によれば、第１の構成要件のみ或いは第２の構成要件のみのいずれかを有していると読み取るべきである。
【符号の説明】
【００４７】
１００  車両
１０２  車速整合装置
１０４  走行軌道
２０２  ステアリングトルク特定ステップ
２０４  許容速度検出ステップ
２０６  制御信号を提供するステップ
２０８  ステアリングトルク検知ステップ
２１０  使用可能なステアリングトルクを最大ステアリングトルクとして特定するステップ
２１２  目標走行レーンを湾曲した走行軌道として検知するステップ
【図１】
0006500118.tif 000002
【図２】
0006500118.tif 000003